(57)【特許請求の範囲】
【請求項１】
方形の底部の４辺に壁部が立設された包装箱であって、
前記底部の外側面を構成する面を向かい合わせて一端辺部が接合された２枚の曲折可能な板材から構成され、
前記底部は、前記接合された一端辺部が前記底部の内側面に起立するように展開された前記２枚の板材の一部により構成されたものであり、
前記壁部は、前記底部の周囲の板材が起立されて構成されたものである
ことを特徴とする包装箱。
【請求項２】
前記接合された一端辺部の一部は、前記壁部と当該壁部に隣接する前記底部の一部が前記壁部および底部に向かって折曲されて前記壁部および底部に重ね合わせて接着されていることを特徴とする請求項１記載の包装箱。
【請求項３】
方形の底部の４辺に壁部が立設された包装箱に組み立てられる包装箱材であって、
前記底部の外側面を構成する面を向かい合わせて一端辺部が接合された２枚の曲折可能な板材から構成され、
前記底部は、前記接合された一端辺部が前記底部の内側面に起立するように展開されて前記２枚の板材の一部により構成されるものであり、
前記壁部は、前記底部の周囲の板材が起立されて構成されるものである
ことを特徴とする包装箱材。
【請求項４】
前記接合された一端辺部の一部は、前記壁部と当該壁部に隣接する前記底部の一部が前記壁部および底部に向かって折曲されて前記壁部および底部に重ね合わせて接着されていることを特徴とする請求項３記載の包装箱材。
【請求項５】
前記向かい合わせて一端辺部が接合される前記底部の外側面を構成する面が印刷面であることを特徴とする請求項３または４に記載の包装箱材。
【発明の詳細な説明】
【技術分野】
【０００１】
本発明は、製品の保管や運搬などに使用される包装箱およびこの包装箱に組み立てられる包装箱材に関する。
【背景技術】
【０００２】
製品を保護して保管や運搬などを行うために包装箱が使用される。包装箱の材料としては、木、プラスチックや段ボールなどが用いられるが、木やプラスチックは高価であるため、軽量かつ安価な段ボールが良く利用される。従来の段ボールを利用した包装箱としては、例えば特許文献１，２に記載のものが知られている。
【特許文献１】特開２００２−３３２０２７号公報
【特許文献２】実開平６−２２２３８号公報
【発明の開示】
【発明が解決しようとする課題】
【０００３】
上述のように包装箱材料として段ボールが良く利用されるが、段ボールは木やプラスチックと比較して強度が弱いため、大型の製品を包装するのには不向きである。特に、幅が１ｍを超える電子黒板などの大型の製品を包装する場合には、包装箱の底部分の強度が不足して折れ曲がりやすく、製作が困難である。また、このような大型の包装箱は運搬時に場所をとってしまうため、製作後に運搬する場合も困難を伴う。
【０００４】
そこで、本発明においては、製作が容易でかつ強度を増した大型の包装箱およびこの包装箱に組み立てられる包装箱材を提供することを目的とする。
【課題を解決するための手段】
【０００５】
上記課題を解決するため、本発明の包装箱は、底部の外側面を構成する面を向かい合わせて一端辺部が接合された２枚の曲折可能な板材から構成され、底部は、接合された一端辺部が底部の内側面に起立するように展開された２枚の板材の一部により構成されたものであり、壁部は、底部の周囲の板材が起立されて構成されたものであることを特徴とする。
【発明の効果】
【０００６】
本発明によれば、製作が容易でかつ強度を増した大型の包装箱が得られる。
【発明を実施するための最良の形態】
【０００７】
本願の第１の発明は、方形の底部の４辺に壁部が立設された包装箱であって、底部の外側面を構成する面を向かい合わせて一端辺部が接合された２枚の曲折可能な板材から構成され、底部は、接合された一端辺部が底部の内側面に起立するように展開された２枚の板材の一部により構成されたものであり、壁部は、底部の周囲の板材が起立されて構成されたものであることを特徴とする包装箱である。
【０００８】
本発明の包装箱では、２枚の板材の接合された一端辺部が底部の内側面に起立して補強リブを形成する。
【０００９】
これにより、底部の強度が増し、大型の製品を包装するのに適した包装箱が得られる。
【００１０】
また、この包装箱は、一端辺部が接合された２枚の板材を、接合された一端辺部が底部の内側面に起立するように展開し、底部の周囲の板材を起立させて壁部を形成するだけで簡単に製作することが可能である。
【００１１】
本願の第２の発明は、上記第１の発明において接合された一端辺部の一部が、壁部と当該壁部に隣接する底部の一部が壁部および底部に向かって折曲されて壁部および底部に重ね合わせて接着されていることを特徴とする包装箱である。
【００１２】
この包装箱によれば、接合された一端辺部のうち壁部および当該壁部に隣接する底部の一部は、曲折されて壁部および底部に重ね合わされることから、壁部は、この重ね合わされた部分が折曲されて形成されることになり、強度が増す。
【００１３】
また、この重ね合わされた部分が底部の一部にまで及んでいるため、壁部の折曲の際に底部の内側面に起立している前述の補強リブに干渉しないように底部の内側まで折曲することが可能である。
【００１４】
これにより、壁部を底部の内側まで折曲して折り目をしっかりと付けることが可能となり、壁部を底部に対して直角に起立させることが可能となる。
【００１５】
本願の第３の発明は、方形の底部の４辺に壁部が立設された包装箱に組み立てられる包装箱材であって、底部の外側面を構成する面を向かい合わせて一端辺部が接合された２枚の曲折可能な板材から構成され、底部は、接合された一端辺部が底部の内側面に起立するように展開されて２枚の板材の一部により構成されるものであり、壁部は、底部の周囲の板材が起立されて構成されるものであることを特徴とする包装箱材である。
【００１６】
本発明の包装箱材では、包装箱の組み立て時に、２枚の板材の接合された一端辺部が底部の内側面に起立して補強リブを形成する。
【００１７】
これにより、組み立てられた包装箱の底部の強度が増し、大型の製品を包装するのに適した包装箱が得られる。
【００１８】
また、この包装箱は、一端辺部が接合された２枚の板材を、接合された一端辺部が底部の内側面に起立するように展開し、底部の周囲の板材を起立させて壁部を形成するだけで簡単に製作することが可能である。
【００１９】
本願の第４の発明は、上記第３の発明において接合された一端辺部の一部が、壁部と当該壁部に隣接する底部の一部が壁部および底部に向かって折曲されて壁部および底部に重ね合わせて接着されていることを特徴とする包装箱材である。
【００２０】
この包装箱材により組み立てられる包装箱は、接合された一端辺部のうち壁部および当該壁部に隣接する底部の一部が、曲折されて壁部および底部に重ね合わされることから、壁部は、この重ね合わされた部分が折曲されて形成されることになり、強度が増す。
【００２１】
また、この重ね合わされた部分が底部の一部にまで及んでいるため、壁部の折曲の際に底部の内側面に起立している前述の補強リブに干渉しないように底部の内側まで折曲することが可能である。
【００２２】
これにより、壁部を底部の内側まで折曲して折り目をしっかりと付けることが可能となり、壁部を底部に対して直角に起立させることが可能となる。
【００２３】
本願の第５の発明は、上記第３または第４の発明において、向かい合わせて一端辺部が接合される底部の外側面を構成する面が印刷面であることを特徴とする包装箱材である。
【００２４】
この包装箱材によれば、未組み立て時においては印刷面が向かい合わされて表面に露出しないので、印刷面の破損を防止することができる。
【００２５】
（実施の形態１）
以下、本発明の実施の形態について、図面に基づいて説明する。
【００２６】
図１は本発明の実施の形態における包装箱材を示す斜視図、図２は図１の包装箱材を展開し始めた状態を示す斜視図、図３は図１の包装箱材を展開した状態を示す斜視図、図４は図３の平面図、図５は包装箱の完成状態を示す斜視図である。
【００２７】
本発明の実施の形態における包装箱材１は、２枚の曲折可能な板材としての段ボール板１ａ，１ｂから構成されている。段ボール板１ａ，１ｂは、図５に示す組み立て後の包装箱Ａの底部Ｂの外側面（図５の裏側面）を構成する面（図３および図４の裏側面）を向かい合わせた状態で、図１の上側の一端辺部（リブ部２および重合部３，４）が接合されている。
【００２８】
なお、本実施の形態における包装箱材１は、図５に示す組み立て後の包装箱Ａの底部Ｂの外側面（図５の裏側面（図３および図４の裏側面））が、この包装箱Ａに収容される製品に関する情報（ロゴ、品番、製品名や注意書きなど）が印刷される印刷面である。
【００２９】
リブ部２は、図１に示すように、段ボール板１ａ，１ｂの印刷面同士を向かい合わせた状態で、段ボール板１ａ，１ｂの突設片２ａ，２ｂ同士をステープラによって共縫いすることにより形成される。すなわち、リブ部２は段ボール板１ａ，１ｂの印刷面の裏側（反対側）に設けられている。
【００３０】
突設片２ａ，２ｂは、包装箱材１を展開した際の２枚の段ボール板１ａ，１ｂの境界線Ｌ0から突出するように延設された片である。
【００３１】
リブ部２は、図３に示すように、包装箱材１を展開した際に、底部Ｂの内側面の中央部に起立することにより、補強リブとして機能する。なお、リブ部２の接合は、ステープラ以外の手段、例えば接着剤により行うことも可能である。
【００３２】
重合部３，４は、図３に示すように、一方の段ボール板１ａの突設片３ａ，４ａを他方の段ボール板１ｂ上に重ね合わせて接着剤により接着することにより形成される。突設片３ａ，４ａは、突設片２ａの両外側に、包装箱材１を展開した際の２枚の段ボール板１ａ，１ｂの境界線Ｌ0から突出するように延設された片である。また、これらの突設片３ａ，４ａは、底部Ｂと壁部Ｗ1，Ｗ2との境界線Ｌ1，Ｌ2を跨いで設けられており、組み立ての際は、重合部３，４が境界線Ｌ1，Ｌ2で折曲される。なお、重合部３ａ，３ｂの接合は、接着剤以外の手段、例えばステープラにより行うことも可能である。
【００３３】
上記構成の包装箱材１は、図１に示すように、２枚の段ボール板１ａ，１ｂが２枚重ね合わされた状態であり、その大きさは図５に示す完成状態の包装箱Ａの約半分である。
【００３４】
包装箱Ａの組み立ては、まず、図１に示す状態から図２に示す状態を経て図３に示す状態へと展開する。これにより、リブ部２は、底部Ｂの内側面の中央部に起立した状態となる。
【００３５】
そして、包装箱材１の底部Ｂの周囲を境界線Ｌ1，Ｌ2，Ｌ3，Ｌ4で折曲して壁部Ｗ1，Ｗ2，Ｗ3，Ｗ4を起立させる。このとき、包装箱材１の重合部３，４は壁部Ｗ1，Ｗ2から底部Ｂの一部にまで及んでいるため、壁部Ｗ1，Ｗ2の折曲の際は底部Ｂの内側面に起立しているリブ部２に干渉しないように、底部Ｂの内側まで折曲することが可能である。これにより、壁部Ｗ1，Ｗ2を底部Ｂの内側まで折曲し、境界線Ｌ1，Ｌ2にて折り目をしっかりと付けることができ、壁部Ｗ1，Ｗ2を底部Ｂに対して直角に起立させることが可能である。
【００３６】
次に、底部Ｂの周囲に起立させた壁部Ｗ1，Ｗ2，Ｗ3，Ｗ4同士を粘着テープＴにより固定すると、図５に示すように方形の底部Ｂの４辺に壁部Ｗ1，Ｗ2，Ｗ3，Ｗ4が立設された包装箱Ａが完成する。
【００３７】
以上のように、本実施の形態における包装箱材１では、包装箱Ａの組み立て時に、２枚の段ボール板１ａ，１ｂの接合された一端辺部が底部Ｂの内側面に起立して補強リブとしてのリブ部２を形成する。これにより、底部Ｂの強度が増し、大型の製品を包装するのに適した包装箱Ａが得られる。特に、この包装箱Ａは、幅が１ｍを超える電子黒板などの製品を包装するのに好適である。
【００３８】
また、この包装箱Ａは、一端辺部が接合された２枚の段ボール板１ａ，１ｂからなる包装箱材１を、接合されたリブ部２が底部Ｂの内側面に起立するように展開し、底部Ｂの周囲を起立させて壁部Ｗ1，Ｗ2，Ｗ3，Ｗ4を形成するだけで簡単に製作することが可能である。
【００３９】
また、未組み立て時においては、完成状態の包装箱Ａの約半分の大きさであるため、運搬時に場所をとらず、運搬コストを削減することが可能である。
【００４０】
さらに、本実施の形態における包装箱材１では、リブ部２が段ボール板１ａ，１ｂの印刷面の裏側（反対側）に設けられているので、この未組み立て時には印刷面が向かい合わされて表面に露出しないので、印刷面の破損を防止することができる。
【００４１】
また、この包装箱材１では、２枚の段ボール板１ａ，１ｂの接合された一端辺部のうち壁部Ｗ1，Ｗ2および当該壁部Ｗ1，Ｗ2に隣接する底部Ｂの一部が、曲折されて壁部Ｗ1，Ｗ2および底部Ｂに重ね合わされて重合部３，４を形成している。
【００４２】
そのため、壁部Ｗ1，Ｗ2は、この重合部３，４が折曲されて形成されることになり、強度が増しているため、２枚の段ボール板１ａ，１ｂが接合されたものであるにも関わらず、壁部Ｗ1，Ｗ2は底部Ｂの周囲にしっかりと起立する。
【００４３】
なお、本実施の形態における包装箱材１は、曲折可能な板材として段ボール板により形成されたものであるが、板材としては曲折可能なものであれば良く、紙製やプラスチック製とすることも可能である。
【００４４】
（実施の形態２）
本発明の実施の形態における包装箱材１は、段ボール板１ａ，１ｂから構成されている一枚の段ボール板１から構成され、略中央部にリブ部２が一体成型されている。
【産業上の利用可能性】
【００４５】
本発明の包装箱およびこの包装箱に組み立てられる包装箱材は、製品の保管や運搬などに使用される包装箱およびこの包装箱に組み立てられる包装箱材として有用である。特に、本発明の包装箱およびこの包装箱に組み立てられる包装箱材は、幅が１ｍを超える電子黒板などの大型の製品を包装するためのものとして好適である。
【図面の簡単な説明】
【００４６】
【図１】本発明の実施の形態における包装箱材を示す斜視図
【図２】図１の包装箱材を展開し始めた状態を示す斜視図
【図３】図１の包装箱材を展開した状態を示す斜視図
【図４】図３の平面図
【図５】包装箱の完成状態を示す斜視図
【符号の説明】
【００４７】
１    包装箱材
１ａ，１ｂ    段ボール板
２    リブ部
２ａ，２ｂ    突設片
３，４    重合部
３ａ，４ａ    突設片
Ａ    包装箱
Ｂ    底部
Ｔ    粘着テープ
Ｗ1，Ｗ2，Ｗ3，Ｗ4    壁部
【図１】
0004998254.tif 000002
【図２】
0004998254.tif 000003
【図３】
0004998254.tif 000004
【図４】
0004998254.tif 000005
【図５】
0004998254.tif 000006